(57)【要約】      （修正有）【課題】ユーザのサービス取得の利便性を著しく損なうことなく、放送周波数の変更に追従可能な放送受信装置、再スキャン方法、及びプログラムを提供する。【解決手段】放送受信装置は、サービスを受信する受信手段と、所定時間に所定サービスの録画を自動的に実行する録画手段と、前記録画手段における録画対象である前記所定のサービスを受信できない場合、前記所定のサービスの再スキャンを実行する再スキャン手段と、前記再スキャン手段が前記所定のサービスを検出すると、前記受信手段に前記再スキャンの結果に基づいて前記所定のサービスを受信させ、前記録画手段に前記所定のサービスの録画を実行させる制御手段と、を具備する。【選択図】図８
2012080293.tif 000002
【特許請求の範囲】
【請求項１】
サービスを受信する受信手段と、
所定時間に所定サービスの録画を自動的に実行する録画手段と、
前記録画手段における録画対象である前記所定のサービスを受信できない場合、前記所定のサービスの再スキャンを実行する再スキャン手段と、
前記再スキャン手段が前記所定のサービスを検出すると、前記受信手段に前記再スキャンの結果に基づいて前記所定のサービスを受信させ、前記録画手段に前記所定のサービスの録画を実行させる制御手段と、
を具備する放送受信装置。
【請求項２】
前記録画手段の録画対象である、前記所定のサービスが受信できるか否かを判別する第１の判別手段を更に具備し、
前記再スキャン手段は、前記判別手段の判別結果に基づいて前記所定のサービスの再スキャンを実行する請求項１記載の放送受信装置。
【請求項３】
前記受信手段が、前記録画手段における録画対象である、前記所定のサービスを受信できないとき、これがアンテナの不具合が原因であるか否かを判別する第２の判別手段を更に具備し、
前記再スキャン手段は、前記第２の判別手段が前記所定のサービスを受信できない原因がアンテナの不具合でないと判別すると、前記再スキャンを実行する請求項１記載の放送受信装置。
【請求項４】
第１のチューナと、
第２のチューナと、
サービスの再スキャンを実行する再スキャン手段と、
前記再スキャン手段が実行した再スキャンの結果に基づき、前記第１のチューナを用いて所定の処理を実行する処理手段と、を具備し、
前記再スキャン手段は、前記処理手段が前記所定の処理を実行するとき、前記第２のチューナを用いてサービスの再スキャンを実行する放送受信装置。
【請求項５】
前記所定の処理は前記サービスを表示する処理である請求項４記載の放送受信装置。
【請求項６】
前記処理手段は、所定時間に所定サービスの録画を自動的に実行する録画手段を具備し、
前記再スキャン手段は、前記録画手段における録画対象である、前記所定のサービスが受信できない場合、前記所定のサービスの再スキャンを実行し、
前記再スキャン手段によって前記所定のサービスが検出できると、前記再スキャンの結果に基づいて、前記第１のチューナを用いて前記録画手段に前記所定のサービスの録画を実行させ、前記再スキャン手段に前記第２のチューナを用いてサービスの再スキャンを実行させる制御手段を更に具備する請求項４記載の放送受信装置。
【請求項７】
所定時間に所定サービスの録画を自動的に実行し、
前記録画における録画対象である前記所定のサービスが受信できないとき、前記所定のサービスの再スキャンを実行し、
前記再スキャンによって前記所定のサービスが検出すると、前記再スキャンの結果に基づいて、前記録画手段に前記所定のサービスの録画を実行する再スキャン方法。
【請求項８】
録画手段に、所定時間に所定サービスの録画を自動的に実行させ、
再スキャン手段に、前記録画手段における録画対象である前記所定のサービスが受信できないとき、前記所定のサービスの再スキャンを実行させ、
前記再スキャン手段が前記所定のサービスを検出すると、受信手段に前記再スキャンの結果に基づいて前記所定のサービスを受信させ、前記録画手段に前記所定のサービスの録画を実行させるプログラム。
【発明の詳細な説明】
【技術分野】
【０００１】
本発明の実施形態は放送受信装置、再スキャン方法、及びプログラムに関する。
【背景技術】
【０００２】
例えば、放送波の地上アナログ放送から地上デジタル放送への完全移行等の際に、各放送局が提供するサービスの放送される周波数の変更（切り替え）を行うチャンネルリパックが実施される場合がある。
【０００３】
放送受信装置はこのチャンネルリパック（放送周波数の変更）に追従させて、サービスを受信するための周波数の設定を変更する必要があり、変更を実施しなければ引き続きサービスを取得することが出来ない。
【０００４】
しかし、チャンネルリパックについての知識を有していないユーザは多く存在し、チャンネルリパックに追従した受信周波数の変更設定はユーザにとって負担となってしまう。
【先行技術文献】
【特許文献】
【０００５】
【特許文献１】特開２００６−１７４１９４号公報
【発明の概要】
【発明が解決しようとする課題】
【０００６】
このため、チャンネルリパック（放送周波数の変更）に追従して、自動的に受信周波数の変更設定を行う放送受信装置が提案されているが、これらの提案ではユーザの希望するサービスの視聴が大幅に中断してしまう場合や、予約していた録画が実行できない場合があった。
【０００７】
本発明は上記に鑑みて提案されてものであって、ユーザのサービス取得の利便性を著しく損なうことなく、放送周波数の変更に追従可能な放送受信装置、再スキャン方法、及びプログラムを提供することを課題とする。
【課題を解決するための手段】
【０００８】
本実施形態における放送受信装置は、サービスを受信する受信手段と、所定時間に所定サービスの録画を自動的に実行する録画手段と、前記録画手段における録画対象である前記所定のサービスを受信できない場合、前記所定のサービスの再スキャンを実行する再スキャン手段と、前記再スキャン手段が前記所定のサービスを検出すると、前記受信手段に前記再スキャンの結果に基づいて前記所定のサービスを受信させ、前記録画手段に前記所定のサービスの録画を実行させる制御手段と、を具備する。
【図面の簡単な説明】
【０００９】
【図１】実施形態におけるＤＴＶの内部構成の一例を示すブロック図。
【図２】実施形態における受信可能周波数テーブルの一例を示す概念図。
【図３】実施形態における再スキャン処理に関連する処理の一例を示すフロー図。
【図４】実施形態における表示部に表示されるアラートおよびアイコン表示の一例を示す概観図。
【図５】実施形態における再スキャン結果を適用するか否かをユーザに選択させるための表示の一例を示す概観図。
【図６】実施形態におけるチャンネルリパック以外の理由で放送波が受信不可能となっている可能性がある旨の表示の一例を示す概観図。
【図７】実施形態における再スキャン結果を適用するかどうかをユーザに選択させるための表示の一例を示す概観図。
【図８】実施形態における再スキャン処理に関連する処理の一例を示すフロー図。
【図９】実施形態の変形例における再スキャン処理に関連する処理の一例を示すフロー図。
【図１０】実施形態の変形例における再スキャン処理に関連する処理の一例を示すフロー図。
【発明を実施するための形態】
【００１０】
実施形態を図面を参照しながら、以下で説明する。
【００１１】
まず、本実施形態における放送受信装置の一例であるＤＴＶ１のハードウェア構成について説明する。
【００１２】
図１は本実施形態におけるＤＴＶ１の内部構成の一例を示すブロック図である。
【００１３】
ＤＴＶ１（Digital Television）は受信した放送信号を表示部に表示することが出来る、本実施形態における放送受信装置の一例である。なお、本実施の形態では、放送受信装置をＤＴＶ１に搭載した場合について説明するが、これに限定されず、例えばＳＴＢ（Set Top box）等の他の放送受信装置、放送受信機能付き携帯電話、放送受信装置が搭載された映像記録装置、およびPC（Personal Computer）等に使用することが可能である。
【００１４】
ＤＴＶ１は、装置各部の動作を制御する制御部１５６を備えている。制御部１５６は、ＣＰＵ１５９（Central Processing Unit）等を内蔵している。制御部１５６は、操作部１１６から入力される操作信号や、リモートコントローラ１１７から送信され受光部１１８を介して受信する操作信号に応じて、ＲＯＭ（Read Only Memory）１５７に予め記憶されたシステム制御プログラム及び各種処理プログラムを起動させる。制御部１５６は、ＲＡＭ（Random Access Memory）１５８をＣＰＵ１５９のワークメモリとして、起動したプログラムに従い、装置各部の動作を制御する。また制御部１５６は、各種設定に必要な情報等を例えばＮＡＮＤフラッシュメモリ等のような不揮発性のメモリであるフラッシュメモリ１６０に格納して使用する。
【００１５】
入力端子１４４は、ＢＳ／ＣＳデジタル放送受信用のアンテナ１４３が受信した衛星デジタルテレビジョン放送信号を衛星デジタル放送用のチューナ１４５に供給する。チューナ１４５は、受信したデジタル放送信号のチューニングを行い、チューニングしたデジタル放送信号をＰＳＫ（Phase Shift Keying）復調器１４６に送信する。ＰＳＫ復調器１４６は、ＴＳ（Transport Stream）の復調を行い、復調したＴＳをＴＳ復号器１４７ａに供給し、ＴＳ復号器１４７ａは、ＴＳをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、復調したサービスについての各種情報を示すデジタル信号である。このサービスについての各種情報には、復調したサービスを識別するための情報（例えば、サービスＩＤ）等が含まれる。制御部１５６はこの情報を用いて、受信した放送波の周波数（チャンネル）とサービスとの対応を示すテーブルである受信可能周波数テーブル（サービスリスト）を作成し、このテーブルをフラッシュメモリ１６０に格納している。制御部１５６は、ユーザ所望の放送波をチューニングする際には、この受信可能周波数テーブルに基づいて処理を行う。受信可能周波数テーブルについては図２を用いて後述にて詳細に説明する。
【００１６】
入力端子１４９は、地上波デジタル放送受信用のアンテナ１４８が受信した地上波デジタルテレビジョン放送信号を地上波デジタル放送用のチューナ１５０に供給する。チューナ１５０は第１のチューナ１５０ａ及び第２のチューナ１５０ｂの二つのチューナを有している。チューナ１５０の第１のチューナ１５０ａ及び第２のチューナ１５０ｂは、それぞれ受信したデジタル放送信号のチューニングを行い、チューニングしたデジタル放送信号を２つ存在するＯＦＤＭ（Orthogonal Frequency Division Multiplexing）復調器１５１に送信する。ＯＦＤＭ復調器１５１は、ＴＳの復調を行い、復調したＴＳをそれぞれの対応するＴＳ復号器１４７ｂに供給し、ＴＳ復号器１４７ｂは、ＴＳをデジタル映像信号及び音声信号等に復号した後、信号処理部１００にこれを出力する。チューナ１５０の第１のチューナ１５０ａ及び第２のチューナ１５０ｂのそれぞれで取得した地上波デジタルテレビジョン放送は、２つのＯＦＤＭ復調器１５１、ＴＳ復号器１４７ｂによってそれぞれ同時にデジタル映像信号、音デジタル音声信号、及びデータ信号を含むデジタル信号として復号された後に、信号処理部１００に出力されることが可能である。
【００１７】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、ＤＴＶ１は、一例として、アンテナ１４８が接続される入力端子１４９にＣＡＴＶ（Common Antenna Television）用のチューナを接続することによってＣＡＴＶも視聴することができる。
【００１８】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。また信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００１９】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２０】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２１】
映像処理部１５５は、グラフィック処理部１５２から出力された信号を、表示部１２０で表示可能なフォーマットのアナログ映像信号に変換する。アナログに変換された映像信号は、表示部１２０に表示される。
【００２２】
音声処理部１５３は、入力された音声信号を、スピーカ１１０で再生可能なフォーマットのアナログ音声信号に変換する。アナログに変換された音声信号は、スピーカ１１０に出力されて再生される。
【００２３】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット３と通信可能となっている。
【００２４】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２５】
ＨＤＤ１７０はＤＴＶ１に内蔵される磁気記憶媒体であってＤＴＶ１が有する各種情報を記憶する機能を有している。
【００２６】
次に、図２を用いて受信可能周波数テーブルについて説明を行う。
【００２７】
図２は本実施形態における受信可能周波数テーブル２１の一例を示す概念図である。
【００２８】
受信可能周波数テーブル２１は制御部１５６において作成されるテーブルであって、このテーブルでは放送局が提供するサービスと、このサービスを受信可能なチャンネル（周波数）とが対応付けられている。
【００２９】
放送局が提供するサービスにはチャンネルが割り当てられている。このチャンネルとは所定の周波数帯域であり、チューナ１５０はチャンネルの情報に基づいて、受信した放送波をチューニングすることにより、各サービスを取得することが出来る。また、取得したサービスについてのデータ信号には、上述のようにサービスを識別するための情報が含まれている。制御部１５６は取得したサービスのチャンネル情報と、このサービスを識別するための情報に基づいて受信可能周波数テーブル２１を作成する。
【００３０】
例えば、図２に示す受信可能周波数テーブル２１では、Ａ放送は２７チャンネルで受信可能であり、このＡ放送には「１」のリモコン用チャンネルが割り当てられていることが示されている。なお、各サービスに割り当てられているチャンネルは地域によって異なる場合がある。
【００３１】
この各サービスに割り当てられるチャンネルは、チャンネルリパックによってこの割り当てが変更される場合がある。このように、サービスに割り当てられているチャンネルが変更されてしまった場合、制御部１５６はフラッシュメモリ１６０に格納されているそれまでの受信可能周波数テーブル２１に基づいてチューニングしてしまうと、サービスを取得できない。つまり、この場合にサービスを取得するためには、例えば、地上波デジタル放送で受信可能な全てのチャンネルにチューニングすることによって、サービスが提供されるチャンネルを探索しなければならない（この探索作業のことを以下では再スキャンとも呼ぶ）。この再スキャンをした結果、発見できたサービスの中に、所望のサービスがあったかどうかを確認する必要がある。なお、所望のサービスのみを探索する場合には、所望のサービスを発見次第、再スキャンを中断しても良い。
【００３２】
本実施形態におけるＤＴＶ１は、受信可能周波数テーブル２１に基づいたチューニングの結果、所望のサービスが取得できない場合には再スキャンを実行する。この再スキャンに関連する処理についての説明を以下にて行う。
【００３３】
図３は本実施形態における再スキャンに関連する処理の一例を示すフロー図である。
【００３４】
ユーザがリモコン１１７等によって、視聴を行うべく所定のサービスを選択するとき、制御部１５６は選択されたサービスが受信可能周波数テーブル２１に記憶しているチャンネルで受信可能か否かを判別する（ステップＳ３０１）。ここでの受信可能か否かの判別とは、選択されたサービスが受信可能周波数テーブル２１において対応付けられているチャンネルで受信可能であるか否かの判別を指す。具体的には、対応付けられているチャンネルにチューニングしたときに、信号を受信可能であるか否かの判別のことである。
【００３５】
ステップＳ３０１において受信可能であるとき（ステップＳ３０１：Ｙｅｓ）、再スキャンに関する処理は終了する。
【００３６】
ステップＳ３０１において受信不可能なとき（ステップＳ３０１：Ｎｏ）、次に制御部１５６は受信不可能であることがアンテナ等の不具合が原因であるか否かの判別を行う（ステップＳ３０２）。ステップＳ３０２での具体的な処理としては、ユーザが選択し受信不可能であったサービスとは異なるサービスであって、１以上のサービス（受信可能周波数テーブル２１に記憶している別のサービス）についてチューニング動作を行い、これによってサービスを受信できるか否かを判別することを指す。
【００３７】
ユーザが選択したサービスとは異なるサービスが受信不可能であるとき、制御部１５６はこれがチャンネルリパックではなくアンテナ等の不具合が原因であると判別して（ステップＳ３０２：Ｙｅｓ）、本実施形態における再スキャンに関する処理は終了となる。このとき、アンテナ等に原因がある可能性がある旨をアラートとして表示部１２０に表示するとしてもよい。
【００３８】
ユーザが選択したサービスとは異なるサービスに受信可能なものが存在するとき、制御部１５６はこれがアンテナ等の不具合が原因ではないと判別して（ステップＳ３０２：Ｎｏ）、チャンネルリパックが実施された可能性を示唆するアラートおよび再スキャン用のアイコンの表示を行う（ステップＳ３０３）。ステップＳ３０３で表示部１２０に表示されるアラートおよびアイコン表示４１の一例を図４に示す。このアラートおよびアイコン表示４１は制御部１５６が描画し、ＯＳＤ信号生成部１５４に描画した画像の信号を出力することで、ＯＳＤとして表示部１２０に表示される。
【００３９】
ステップＳ３０３においてアラートおよびアイコン表示４１を表示しているとき制御部１５６は再スキャンを実行するか否かの操作を受け付ける状態となる（ステップＳ３０４）。
【００４０】
ステップＳ３０４において、再スキャンを実行しない操作を受け付けたとき、または実行する操作を受け付けなかったとき（ステップＳ３０４：Ｎｏ）、再スキャンに関する処理は終了となる。
【００４１】
ステップＳ３０４において、再スキャンを実行する操作を受け付けたとき（ステップＳ３０４：Ｙｅｓ）、制御部１５６は再スキャンを実行する（ステップＳ３０５）。ここでの再スキャン処理では、制御部１５６はチューナ１５０によって再スキャンを行い、このチャンネルの中で信号を受信可能なチャンネルが存在するか否かを検出する（このとき使用するチューナは、第１のチューナ１５０ａ及び第２のチューナ１５０ｂのうちのどちらでも良い）。信号を受信可能なチャンネルが存在するとき、制御部１５６はこの信号のうちのデータ信号からサービスを識別するための情報を抽出し、受信可能周波数テーブル２１におけるサービスと適合するかどうかを検出する。
【００４２】
ステップＳ３０５で再スキャンを実行した結果、受信可能周波数テーブル２１に登録されている全てのサービスが検出できた場合には（ステップＳ３０６：Ｙｅｓ）、制御部１５６は再スキャン結果を適用するか否かをユーザに選択させるための表示を行う（ステップＳ３０７）。この再スキャン結果を適用するか否かをユーザに選択させるための表示５１の一例を図５に示す。この表示５１も表示４１と同様に制御部１５６が描画し、ＯＳＤ信号生成部１５４に描画した画像の信号を出力することで、ＯＳＤとして表示部１２０に表示される。
【００４３】
ステップＳ３０７において表示５１を表示しているとき制御部１５６は再スキャン結果を適用するか否かの操作を受け付ける状態となる（ステップＳ３０８）。
【００４４】
ステップＳ３０８において、再スキャン結果を適用する操作を受け付けたとき（ステップＳ３０８：Ｙｅｓ）、制御部１５６は再スキャン結果を適用する（ステップＳ３０９）。具体的には、ユーザより再スキャン結果を適用する操作を受け付けたとき、再スキャン結果をフラッシュメモリ１６０に格納されている受信可能周波数テーブル２１に反映する。換言すると、再スキャンによって検出されたそれぞれのサービスのチャンネルの情報を、受信可能周波数テーブル２１のそれぞれのサービスに対応するチャンネルとするように、テーブルを書き換える。ステップＳ３０９が完了すると、ＤＴＶ１が実行する再スキャンに関連する一連の処理は終了となる。そして、図３には図示しないが、以降はユーザが視聴を行うべく選択した所定のサービスは、更新された受信可能周波数テーブル２１に記憶しているチャンネルで受信する。
【００４５】
ステップＳ３０５で再スキャンを実行した結果、受信可能周波数テーブル２１に登録されている全てのサービスを検出できなかった場合であって（ステップＳ３０６：Ｎｏ）、ユーザが視聴を行うべく選択した所定のサービスが検出できなかった場合には（ステップＳ３１０：Ｎｏ）、制御部１５６はチャンネルリパック以外の理由（例えば停波等）で放送波が受信不可能となっている可能性がある旨の表示を行う（ステップＳ３１１）。このチャンネルリパック以外の理由で放送波が受信不可能となっている可能性がある旨の表示６１の一例を図６に示す。
【００４６】
ステップＳ３１１において表示を行った後、及びステップＳ３０８において再スキャン結果を適用しない操作を受け付けたとき（ステップＳ３０８：Ｎｏ）制御部１５６は再スキャンの結果を破棄する（ステップＳ３１２）。制御部１５６は再スキャンを実行したとき、この結果をＲＡＭ１５８に保持する。ステップＳ３１２において、再スキャン結果を破棄するとは、すなわちこのＲＡＭ１５８に保持している再スキャン結果を、フラッシュメモリ１６０の受信可能周波数テーブル２１に反映せずに、削除する処理のことを指す。
【００４７】
ステップＳ３１２において再スキャンの結果を破棄すると、ＤＴＶ１が実行する再スキャンに関連する一連の処理は終了となる。
【００４８】
ステップＳ３０５で再スキャンを実行した結果、受信可能周波数テーブル２１に登録されている全てのサービスを検出できなかった場合であって（ステップＳ３０６：Ｎｏ）、ユーザが視聴を行うべく選択した所定のサービスが検出できた場合（ステップＳ３１０：Ｙｅｓ）、再スキャンによって検出できたサービスを示し、この結果を適用するかどうかをユーザに選択させるための表示７１を表示部１２０に表示する（ステップＳ３１３）。この再スキャンによって検出できたサービスを示し、この結果を適用するかどうかをユーザに選択させるための表示７１の一例を図７に示す。ここでも上述と同様の処理にてＤＴＶ１はＯＳＤとして表示７１を表示する。
【００４９】
ステップＳ３１３において表示７１を表示しているとき制御部１５６は再スキャン結果を適用するか否かの操作を受け付ける状態となる（ステップＳ３１４）。
【００５０】
ステップＳ３１４において、検出できた再スキャン結果を適用する操作を受け付けたとき（ステップＳ３１４：Ｙｅｓ）、制御部１５６は検出できた再スキャン結果を適用する（ステップＳ３１５）。具体的には、上述と同様に、ユーザより再スキャン結果を適用する操作を受け付けたとき、その再スキャン結果を適用された結果としてフラッシュメモリ１６０に格納されている受信可能周波数テーブル２１を更新する。なお、検出できなかった残りのサービスに関しては、受信可能周波数テーブル２１の内容を更新しないものとする。ステップＳ３１５が完了すると、ＤＴＶ１が実行する再スキャンに関連する一連の処理は終了となる。
【００５１】
ステップＳ３１４において、検出できた再スキャン結果を適用しない操作を受け付けたとき（ステップＳ３１４：Ｎｏ）、処理フローはステップＳ３１２に進み、ステップＳ３１２（スキャン結果の破棄）が完了すると一連の処理は終了となる。
【００５２】
上述の処理によって、ユーザがＤＴＶ１を視聴しようとするときに、ＤＴＶ１ユーザに対してチャンネルリパックが行われた可能性を示唆することができ、さらにチャンネルリパックに自動的に対応することが出来る。
【００５３】
上述の処理においてステップＳ３０１とステップ３０２の処理の間に、現在時刻が放送停波時間で無いか否かを判別する処理を入れるとしてよい。現在時刻が放送停波時間で無いか否かの判別とは具体的には、現在時刻が７時から２４時までにあたるか否かの判別である。現在時刻が７時から２４時までにあたる場合には、制御部１５６は現在時刻が放送停波時間で無いと判別して、処理フローはＳ３０２に進む。現在時刻が７時から２４時までにあたらない場合には、現在が放送停波時間であると判別して処理フローは終了となる。チャンネルリパック作業は夜間に実施される場合があり、ＤＴＶ１が選択したサービスを受信不可能な時間帯が放送停波時間時間帯あたる場合には、これは夜間に当たるためサービス受信ができない理由がチャンネルリパック以外の理由である可能性が高い。例えば、午前中等にサービスが受信できない場合には、夜間に実施されたチャンネルリパックによってサービスが受信できなくなっている可能性が高く、Ｓ３０２以降の処理を実行する意義が大きいが、夜間にサービスが受信できない場合には上述の理由によりＳ３０２以降の処理を実行する意義が小さい。これらの理由によって、ステップＳ３０１とステップ３０２の処理の間に、現在時刻が放送停波時間で無いか否かを判別する処理を入れるとしてよい。
【００５４】
本実施形態において、ＤＴＶ１はユーザ所望のサービスの録画予約を実行することが出来る。予約された録画処理を実行するとき、制御部１５６は自身の有するＲＴＣ（Real Time Clock）（図示しない）によって現在時刻を取得し、録画が予約された時刻となると、予約されたサービスの映像及び音声をＨＤＤ１７０に記憶する。
【００５５】
以下では、ユーザが特定のサービスについて録画予約を行っていた場合の、再スキャンに関連する処理について説明する。
【００５６】
図８は本実施形態における再スキャンに関連する処理の一例を示すフロー図である。
【００５７】
以降、図３の説明にて、詳細に説明した処理と内容がほぼ同様の処理については、説明を適宜省略する。
【００５８】
まず、ユーザによって録画予約が設定されているとき、制御部１５６はＲＴＣによって現在時刻を取得し、予約録画が開始される時刻まで待機する（ステップＳ８０１）。
【００５９】
ステップＳ８０１で予約録画の開始時刻が来るまでは（ステップＳ８０１：Ｎｏ）制御部１５６は待機を続け、予約録画の開始時刻が来ると（ステップＳ８０１：Ｙｅｓ）、制御部１５６は録画予約されているサービスが受信可能周波数テーブル２１に記憶しているチャンネルで受信可能か否かを判別する（ステップＳ８０２）。
【００６０】
ステップＳ８０２において受信可能であるとき（ステップＳ８０２：Ｙｅｓ）、ここでの再スキャンに関する処理は終了し、制御部１５６は通常どおり録画処理を実行する。
【００６１】
ステップＳ８０２において受信不可能なとき（ステップＳ８０２：Ｎｏ）、次に制御部１５６は受信不可能であることがアンテナ等の不具合が原因であるか否かの判別を行う（ステップＳ８０３）。
【００６２】
受信不可能であることがアンテナ等の不具合が原因であると判別するとき、（ステップＳ８０３：Ｙｅｓ）、ここでの再スキャンに関する処理は終了となる。
【００６３】
ステップＳ８０３において、受信不可能であることがアンテナ等の不具合が原因でないと判別するとき（ステップＳ８０３：Ｎｏ）、制御部１５６は録画予約されているサービスを探すために再スキャンを実行する（ステップＳ８０４）。
【００６４】
ステップＳ８０４で再スキャンを実行した結果、録画予約されたサービスが検出できなかった場合には（ステップＳ８０５：Ｎｏ）、ここでの再スキャンに関する処理は終了となり、サービスが検出できた場合には（ステップＳ８０５：Ｙｅｓ）、検出結果に基づいてこのサービスの録画処理を実行する（ステップＳ８０６）。
【００６５】
次に、制御部１５６はこの再スキャン結果を一時記憶する（ステップＳ８０７）。ここでの一時記憶ではＲＡＭ１５８に記憶しておくとしてもよいし、この結果をフラッシュメモリ１６０の受信可能周波数テーブル２１とは異なる場所に格納しておくとしてもよい。
【００６６】
ステップＳ８０７を終了すると、ＤＴＶ１はユーザによって電源がＯＮされるまで待機する（ステップＳ８０７）。
【００６７】
ステップＳ８０７において電源がＯＮされると（ステップＳ８０７：Ｙｅｓ）、処理フローは図３のステップＳ３０３へと進む。
【００６８】
本実施形態において、制御部１５６は予約録画を実行する際に、サービスを受信可能であるか否かを判別するため、チャンネルリパックが原因での録画予約の失敗が発生する可能性を低減させることができる。
【００６９】
図８に示す処理フローにおいても図３と同様にステップ８０２とＳ８０３との処理の間に、現在時刻が放送停波時間で無いか否かを判別する処理を入れるとしてよい。
【００７０】
次に、本実施形態における変形例について説明を行う。
【００７１】
本変形例では再スキャン等の処理を２つのチューナを用いて実行する。
【００７２】
図９は、本変形例における再スキャンに関連する処理の一例を示すフロー図である。
【００７３】
本変形例について、上記実施形態とほぼ同様の処理を実行する場合には説明を省略し、異なる箇所について重点的に説明する。
【００７４】
まず、ユーザがリモコン１１７等によって、視聴を行うべく所定のサービスを選択するとき、制御部１５６は選択されたサービスが受信可能周波数テーブル２１に記憶しているチャンネルで受信可能か否かを判別する（ステップＳ９０１）。
【００７５】
ステップＳ９０１において受信可能であるとき（ステップＳ９０１：Ｙｅｓ）、ここで再スキャンに関する処理は終了する。
【００７６】
ステップＳ９０１において受信不可能なとき（ステップＳ９０１：Ｎｏ）、次に制御部１５６は受信不可能であることがアンテナ等の不具合が原因であるか否かの判別を行う（ステップＳ９０２）。
【００７７】
受信不可能であることがアンテナ等の不具合が原因であると判別するとき、（ステップＳ９０２：Ｙｅｓ）、ここでの再スキャンに関する処理は終了となる。
【００７８】
受信不可能であることがアンテナ等の不具合が原因でないと判別するとき（ステップＳ９０２：Ｎｏ）、チャンネルリパックが実施された可能性を示唆するアラートおよび再スキャン用のアイコンの表示を行う（ステップＳ９０３）。
【００７９】
ステップＳ９０３においてアラートおよびアイコンを表示しているとき制御部１５６は再スキャンが実行されるか否かの操作を受け付ける状態となる（ステップＳ９０４）。
【００８０】
ステップＳ９０４において、再スキャンを実行しない操作を受け付けたとき、または実行する操作を受け付けなかったとき（ステップＳ９０４：Ｎｏ）、ここでの再スキャンに関する処理は終了となる。
【００８１】
ステップＳ９０４において、再スキャンを実行する操作を受け付けたとき（ステップＳ９０４：Ｙｅｓ）、制御部１５６は第１のチューナ１５０ａを用いて、選択されているサービスの再スキャンを実行する（ステップＳ９０５）。
【００８２】
ステップＳ９０５で再スキャンを開始すると、制御部１５６は表示部１２０に再スキャンを実行している旨を表示する（ステップＳ９０６）。
【００８３】
Ｓ９０５における再スキャン処理によって、選択されているサービスを再スキャンした結果、サービスが検出できたとき（ステップＳ９０７：Ｙｅｓ）、ＤＴＶ１は第１のチューナ１５０ａを用いて選択されているサービスを表示する（ステップＳ９０８）。
【００８４】
ステップＳ９０８によってサービスを表示しているとき、制御部１５６は第２のチューナ１５０ｂを用いて全てのサービスの再スキャンを行う（ステップ９０９）。このとき、既に検出されているサービスの再スキャンは実行しない（例えば、周波数（チャンネル）の低い順にスキャンする場合、既に検出されているサービスまでの周波数（チャンネル）より高い側の再スキャンを実行する）としてもよいし、他のサービスと共に再度スキャンするとしてもよい。
【００８５】
Ｓ９０５における再スキャン処理によって、選択されているサービスを再スキャンした結果、サービスが検出できなったとき（ステップＳ９０７：Ｎｏ）、またはステップＳ９０９で、第２のチューナ１５０ｂを用いての再スキャンが完了したとき、処理フローは、上記実施形態の図３におけるステップＳ３０６へと進む。
【００８６】
本変形例では、第１のチューナ１５０ａを用いて選択されているサービスの再スキャンを先に実行し、再スキャンが成功したときにはそのサービスを表示する。そして、選択されたサービスを表示しながら第２のチューナ１５０ｂを用いて、他のサービスの再スキャンを実行するため、選択したサービスを表示するまでの、再スキャンによるユーザの待ち時間を短縮することができる。
【００８７】
本変形例においては、第１のチューナ１５０ａを用いて選択されたサービスの再スキャンの実行および選択されたサービスの取得を実行し、第２のチューナ１５０ｂを用いて全てのサービスの再スキャンを実行するものとしたが、これに限定されない。どの処理にどちらのチューナを利用するかは設計によって適宜変更可能である。
【００８８】
次に本変形例における、ユーザが特定のサービスについて録画予約を行っていた場合の、再スキャンに関連する処理について説明する。
【００８９】
図１０は本変形例における再スキャンに関連する処理の一例を示すフロー図である。
【００９０】
まず、ユーザによって録画予約が設定されているとき、制御部１５６はＲＴＣによって現在時刻を取得し、予約録画が開始される時刻まで待機する（ステップＳ１００１）。
【００９１】
ステップＳ１００１で予約録画の開始時刻が来るまでは（ステップＳ１００１：Ｎｏ）、制御部１５６は待機を続け、予約録画の開始時刻が来ると（ステップＳ１００１：Ｙｅｓ）、制御部１５６は録画予約されているサービスが受信可能周波数テーブル２１に記憶しているチャンネルで受信可能か否かを判別する（ステップＳ１００２）。
【００９２】
ステップＳ１００２において受信可能であるとき（ステップＳ１００２：Ｙｅｓ）、ここでの再スキャンに関する処理は終了し、制御部１５６は通常どおり録画処理を実行する。
【００９３】
ステップＳ１００２において受信不可能なとき（ステップＳ１００２：Ｎｏ）、次に制御部１５６は受信不可能であることがアンテナ等の不具合が原因であるか否かの判別を行う（ステップＳ１００３）。
【００９４】
受信不可能であることがアンテナ等の不具合が原因であると判別するとき、（ステップＳ１００３：Ｙｅｓ）、ここでの再スキャンに関する処理は終了となる。
【００９５】
ステップＳ１００３において、受信不可能であることがアンテナ等の不具合が原因でないと判別するとき（ステップＳ１００３：Ｎｏ）、制御部１５６は第１のチューナ１５０ａを用いて、録画予約されているサービスについての再スキャンを実行する（ステップＳ１００４）。
【００９６】
ステップＳ１００４で再スキャンを実行した結果、録画予約されたサービスが検出できなかった場合には（ステップＳ１００５：Ｎｏ）、ここでの再スキャンに関する処理は終了となり、サービスが検出できた場合には（ステップＳ１００５：Ｙｅｓ）、検出結果に基づき、第１のチューナ１５０ａを用いて、このサービスの録画処理を実行する（ステップＳ１００６）。
【００９７】
ステップＳ１００６において録画の実行を開始すると、制御部１５６は第２のチューナ１５０ｂを用いて全てのサービスの再スキャンを行う（ステップＳ１００７）。
【００９８】
次に、制御部１５６はステップＳ１００７における再スキャン結果を一時記憶する（ステップＳ１００８）。
【００９９】
ステップＳ１００８を終了すると、ＤＴＶ１はユーザによって電源がＯＮされるまで待機する（ステップＳ１００９）。
【０１００】
ステップＳ１００９において電源がＯＮされない間は（ステップＳ１００９：Ｎｏ）待機を続行し、ステップＳ１００９において電源がＯＮされると（ステップＳ１００９：Ｙｅｓ）、処理フローは上記実施形態における図３のステップＳ３０６へと進む。
【０１０１】
なお、一時記憶している再スキャン結果において、全てのサービスが検出できなかった場合には、図３のＳ３０５の処理を実行し、最新の状況を確認するほうが、より好適である。
【０１０２】
本変形例では録画予約のとき、録画対象のサービスを検出できなければ、録画時間を利用として、録画に用いられるチューナとは異なるチューナによって再スキャン処理を実行する。これによって、ユーザが電源をＯＮした後の再スキャン処理を省略することができ、ユーザが再スキャン処理を待機する必要がなくなる。
【０１０３】
本変形例においては、再スキャン処理によるユーザの待機時間を短縮することができる。換言すれば、ユーザのサービス取得の利便性を著しく損なうことなく、放送周波数の変更に追従することができる。
【０１０４】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【０１０５】
１…ＤＴＶ、１１０…スピーカ、１２０…表示部、１００…信号処理部、１１６…操作部、１１７…リモートコントローラ、１１８…受光部、１１９…メモリカード、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５０ａ…第１のチューナ、１５０ｂ…第２のチューナ、１５１…ＯＦＤＭ復調器、１５２…グラフィック処理部、１５３…音声処理部、１５４…ＯＳＤ信号生成部、１５５…映像処理部、１５６…制御部、１５７…ＲＯＭ、１５８…ＲＡＭ、１５９…ＣＰＵ、１６０…フラッシュメモリ、１６４…ＬＡＮ  Ｉ／Ｆ、１６６…ＵＳＢ  Ｉ／Ｆ、１６８…アナログチューナ、１６９…アナログ復調器、１７０…ＨＤＤ、２１…受信可能周波数テーブル、４１…表示、５１…表示、６１…表示、７１…表示。
【図１】
2012080293.tif 000003
【図２】
2012080293.tif 000004
【図３】
2012080293.tif 000005
【図４】
2012080293.tif 000006
【図５】
2012080293.tif 000007
【図６】
2012080293.tif 000008
【図７】
2012080293.tif 000009
【図８】
2012080293.tif 000010
【図９】
2012080293.tif 000011
【図１０】
2012080293.tif 000012